(57)【要約】      （修正有）【課題】効率良く確実に半田実装できる実装補助具を提供する。【解決手段】実装補助具と指先７に容易に指で巻きつけられる一本の金属の軟線で指先７に取付ける実装補助具を作る。実装補助具には、刷毛先や楊枝８また消耗品である半田ワイヤーや半田吸取り線を用いる。軟線の前部分２は、刷毛先や楊枝８の後部分を直接巻いて固定する。また消耗品である半田ワイヤーや半田吸取り線は、軟質プラスチックチューブの中に入れる。最初に軟線の前部分で軟質プラスチックチューブを巻いて固定してから中に通し、前から引き出して保持する。軟線の後部分は、指先に巻き付けて実装補助具を指先で保持する。右手に半田鏝を持った時、左手の例えば、半田吸取り線を中指で保持させたまま、薬指の刷毛先でフラックスを半田鏝先に塗り、半田ワイヤーを人差指で加熱している半田鏝先に供給して半田で濡らして、表面実装部品を親指の楊枝で押えながら表面実装をする。【選択図】図２
2014100723.tif 000002
【特許請求の範囲】
【請求項１】
実装補助具と一本の軟線から作る。
軟線の前部分を実装補助具に巻いて、軟線の後部分を指で指先に巻き付ける事で、実装補助具を指に取付け保持する事を特徴とする指先に取付ける実装補助具。
【請求項２】
請求項１記載の実装補助具が楊枝や刷毛である事を特徴とする指先に取付ける実装補助具。
【請求項３】
請求項２記載の実装補助具を、軟線の前部分で楊枝や刷毛先の後部分を直接巻いて固定する事を特徴とする請求項１に記載の指先に取付ける実装補助具。
【請求項４】
請求項１記載の実装補助具が消耗品である半田ワイヤーや半田吸取り線である事を特徴とする指先に取付ける実装補助具。
【請求項５】
請求項４記載の実装補助具を、軟線の前部分で軟質プラスチックチューブに巻いて、半田ワイヤーや半田吸取り線を軟質プラスチックチューブの先端から少し出るように中に通して保持する事を特徴とする請求項１に記載の指先に取付ける実装補助具。
【発明の詳細な説明】
【技術分野】
【０００１】
本発明は、配線基板上への表面実装部品の取り付けや取り外し等の、半田実装の為の実装補助具に関する。
【背景技術】
【０００２】
挿入実装部品である三端子電子部品を実装基板から取外すのを目的に、三端子電子部品対応小型加熱器の特許が出願されている（特許文献１）。
この三端子電子部品対応小型加熱器は、三本の指に取付けられた加熱具でもって、実装基板の端子穴に挿入された三本の三端子電子部品のリード線を同時に加熱する事で、実装基板から三端子電子部品を取外している。
【先行技術文献】
【特許文献】
【０００３】
【特許文献１】特願２０１２−１３９２５９
【発明の概要】
【発明が解決しようとする課題】
【０００４】
この三端子電子部品対応小型加熱器は、挿入実装部品に対応した加熱器である。
最近は、薄いプリント基板の実装部品に、挿入実装部品の代わりに表面実装部品が多く使われるようになった。
これらは、チップ型実装部品とよばれるチップ抵抗やチップコンデンやチップインダクタンス等がある。
大きさは、例えばチップ抵抗では２０１２サイズ（2.0ｍｍ×1.2ｍｍ）から１６０８サイズ・１００５サイズ・０６０３サイズ(0.6ｍｍ×0.3ｍｍ）等と小さい表面実装部品が多く使われている。
表面実装部品の半田実装は小さく挿入実装部品でない為 、半田実装が難しくなってきている。
【０００５】
本発明は、表面実装部品に対応した、両手を使って効率良く確実に半田実装できる実装補助具を提供することを課題とする。
この課題は、以下に示す構成からなる発明により解決される。
【課題を解決するための手段】
【０００６】
本発明は、実装補助具と一本の軟線から作る。
軟線を前部分と後部分に分けて、後部分を指先側とする時、軟線の前部分を実装補助具に巻いて、軟線の後部分を指で指先に巻き付ける事で、実装補助具を指に取付け保持させる。
実装補助具には、刷毛先や楊枝また消耗品である半田ワイヤーや半田吸取り線を用いる事を特徴とする指先に取付ける実装補助具である。
【０００７】
実装補助具に楊枝や刷毛を使い、軟線の前部分で楊枝や刷毛先の後部分を直接巻いて固定する。
【０００８】
実装補助具に消耗品である半田ワイヤーや半田吸取り線を使い、軟線の前部分で軟質プラスチックチューブに巻いて、半田ワイヤーや半田吸取り線を軟質プラスチックチューブの先端から少し出るように中に通して保持する。
【０００９】
指先に取付ける実装補助具は、実装補助具と一本の軟線から作られるので、指に巻いた状態でも巻いてない状態でも、指先に取付ける実装補助具とする。
実装補助具により、指先に取付ける実装補助具は、楊枝を指先に取付けた楊枝付実装補助具、半田ワイヤーを指先から供給出来る半田ワイヤー付実装補助具、半田吸取り線を指先から供給出来る半田吸取り線付実装補助具、フラックスを塗る為の刷毛先を指先に取付けた刷毛先付実装補助具がある。
【００１０】
例えば、三端子電子部品対応小型加熱器は、右手の親指と人差し指と中指の三本の指に取付けている。
本発明の指先に付ける実装補助具は、左手の親指には楊枝付実装補助具、人差し指には半田ワイヤー付実装補助具、中指には半田吸取り線付実装補助具、薬指には、刷毛先付実装補助具を取付ける。
【発明の効果】
【００１１】
半田実装のポイントは、半田鏝先を半田で素早く濡らす事である。
半田鏝が、半田鏝先とヒーターと放熱筒と柄と電源コードから成る時、例えば、半田実装をする時、表面実装部品に半田鏝の加熱している半田鏝先の熱を伝える為には、加熱している半田鏝先を半田で濡らす必要がある。
その為に加熱している半田鏝先にフラックスを塗る時蒸発しやすいので、出来るだけ短時間にしなければならない。
【００１２】
本発明の指先に取付ける実装補助具を使えば、半田実装の為に実装補助具を持ちかえて交換する必要が無くなる。
右手に半田鏝を持つ時、半田実装の目的により左手には、５本までの実装補助具を取付けられる為、両手を使って効率良く確実に半田実装が実施出来る。
【００１３】
従来は、表面実装部品を配線基板上から外す時は、外す表面実装部品が半田付けされている端子の半田の上に半田吸取り線を載せる。
次に、半田で濡れて加熱している半田鏝先を半田吸取り線に押し付けて、半田吸取り線で半田を吸取り、表面実装部品を取外す。
この時、加熱している半田鏝先で半田吸取り線を、半田が吸い取り難い為強く押しすぎると、端子を剥がす。
本発明は、外す表面実装部品が半田付けされている端子の半田の上に半田吸取り線付実装補助具からの未使用部分の半田吸取り線を載せる。
楊枝付実装補助具の楊枝で半田吸取り線を押えながら、半田付け部上の半田吸取り線の上から、半田で濡れている半田鏝先を軽く押しあて、半田を溶かして半田吸取り線で吸取り、交換したい表面実装部品を取外す。
【００１４】
従来は、表面実装部品を配線基板上に取付ける時は、取付ける表面実装部品の端子を半田で濡れている半田鏝先で半田ワイヤーを供給して濡らす。
次に、半田ワイヤーから楊枝に持ち替える。
表面実装部品を動かさないように楊枝で押えながら、半田で濡れている半田鏝先を、半田で濡れた端子に当てて表面実装部品を配線基板上に取付ける。
本発明は、楊枝付実装補助具の楊枝で、半田ワイヤー付実装補助具からの半田ワイヤーの先端を端子の上で押えながら、半田で濡れている半田鏝先を端子に当て、端子を半田コートする。
楊枝付実装補助具の楊枝で端子の上に載せた表面実装部品を押えながら、半田で濡れている半田鏝先を端子に当てて、表面実装部品を取付ける。
【００１５】
端子が汚れている時は、随時楊枝付実装補助具の楊枝で端子の汚れを除く。
次に、刷毛先付実装補助具の刷毛先でフラックスを塗りながら楊枝付実装補助具の楊枝で、半田ワイヤー付実装補助具からの半田ワイヤーの先端を端子の上で押えながら、半田で濡れている半田鏝先を端子に当てて、端子を半田コートする。
【図面の簡単な説明】
【００１６】
【図１】本発明の楊枝付実装補助具の斜視図である。
【図２】本発明の楊枝付実装補助具の指取付け斜視図である。
【図３】本発明の刷毛先付実装補助具の斜視図である。
【図４】本発明の半田ワイヤー付実装補助具の斜視図である。
【図５】本発明の半田吸取り線付実装補助具の斜視図である。
【発明を実施するための形態】
【００１７】
以下、本発明の実施の形態を図面に基づいて説明する。
ただし、以下の実施例や実施例の寸法値また軟線の巻き間隔はあくまで製作一例であって限定されるものではない。
また、軟線は指で指に巻く事の出来る金属の軟線を使う。例えばアルミニウム線材等である。
【００１８】
図１は、本発明の楊枝付実装補助具の斜視図を示す。
直径１ｍｍ長さ３００ｍｍの軟線１の１００ｍｍの前部分を、直径２ｍｍの長さ３０ｍｍのカッターで加工できる材料の竹や木やまたは、プラスチックで出来た楊枝８に１０ターン程で長さ２０ｍｍのコイル状に巻きつけ楊枝巻き部分２を作る。
楊枝８の先端が細く加工された針状の部分１０ｍｍは、楊枝巻き部分２より出す。
軟線１の後部分の２００ｍｍは、指に巻き付ける指巻き部分６として残す。
【００１９】
楊枝８の針状の先端形状が崩れた場合、カッターで削って再生出来る。
また、必要に応じて針状の先端形状を角柱状にしたりまた、ヘラ状にしたり、メス状等にする。
【００２０】
楊枝８の実装補助具は、竹や木または、プラスチックの材料の代わりに、金属の材料でも良い。また、先端が針状の先端形状の代わりにヘラが先端に付いた金属の棒や、メスが先端に着いた金属の棒でも良い。
【００２１】
図２は、本発明の楊枝付実装補助具の指取付け斜視図を示す。
図１に示されている、軟線１の後部分の２００ｍｍを、指先７に１２ターン程をコイル状に３０ｍｍ巻き付けて指巻き部分６を作り、指に取付けられる楊枝付実装補助具を作る。
【００２２】
半田実装が終わったら、指先７から指巻き部分６を崩さずに外して、次に巻き直さずに使えるようにする。
他の人が使う時は、指先７に巻いた指巻き部分６を解いて、新たに使用する人の指先７に巻いて使用する。
楊枝付実装補助具の指取付け時の全体の長さは、楊枝巻き部分２から出ている楊枝８が１０ｍｍ、楊枝巻き部分２が２０ｍｍで指巻き部分６が３０ｍｍから、合わせて全長６０ｍｍになる。
【００２３】
図３は、本発明の刷毛先付実装補助具の斜視図を示す。
アクリル繊維を直径２ｍｍ長さ２０ｍｍに束ね、後部分の長さ１０ｍｍ程を接着剤で固めて、刷毛先９を作る。
直径１ｍｍの長さ２５０ｍｍの軟線１の５０ｍｍの前部分を、実装補助具である刷毛先９に５ターン程で長さ１０ｍｍのコイル状に巻き、刷毛先巻き部分３を作る。
刷毛先巻き部分３は、軟線１を刷毛先９にコイル巻きしてから、接着剤で軟線１と刷毛先９を固定しても良い。
軟線１の後部分の２００ｍｍは、柄の部分に相当する指巻き部分６として残して刷毛先付実装補助具を作る。
【００２４】
刷毛先９と同様な筆先でも良い。
材料の毛には竹や獣毛や化学繊維例えばアクリル樹脂等を用いる。
また、使用後は刷毛先９にキャップを被せフラックスが他に付着するのを防ぐ。
【００２５】
図４は、本発明の半田ワイヤー付実装補助具の斜視図を示す。
直径１ｍｍ長さ３２５ｍｍの軟線１の125ｍｍの前部分を、内径１ｍｍ外径３ｍｍ長さ３０ｍｍの軟質プラスチックチューブ５に
１２ターン程で長さ２５ｍｍのコイル状に巻きつけ軟質プラスチックチューブ巻き部分４を作る。
軟質プラスチックチューブ巻き部分４の最終の３ターン程を４５度程曲げる。
軟質プラスチックチューブ巻き部分４は、軟線１を軟質プラスチックチューブ５にコイル巻きしてから、接着剤で軟質プラスチックチューブ４と軟線１を固定しても良い。
軟線１の後部分の２００ｍｍは、指巻き部分６として残し半田ワイヤー付実装補助具を作る。
【００２６】
使用する時は、直径０．８ｍｍの半田ワイヤー１０を、軟質プラスチックチューブ５の４５度程曲がった部分から挿入して軟質プラスチックチューブ巻き部分４より１０ｍｍ出す。
この時、軟質プラスチックチューブ巻き部分４から１０ｍｍ出た半田ワイヤー１０が
引いた時だけ動くよう、軟質プラスチックチューブ巻き部分４の一部を潰す。
順次消耗した分は、消耗した側から引いて１０ｍｍ程常に出す。
【００２７】
前記の軟質プラスチックチューブ５は、内径１ｍｍ外径３ｍｍ長さ３０ｍｍの硬質プラスチックパイプ又は、内径１．５ｍｍ外径３ｍｍ長さ３０ｍｍの金属パイプでも良い。
この時の半田ワイヤー１０は、直径１．２ｍｍが使える。
最終の３ターン部分のパイプをパイプ曲げ具か又は熱で４５度程曲げてから、軟線１を巻く。
【００２８】
図５は、本発明の半田吸取り線付実装補助具の斜視図を示す。
直径１ｍｍ長さ３２５ｍｍの軟線１の１２５ｍｍの前部分を、
内径１ｍｍ外径３ｍｍ長さ３０ｍｍの軟質プラスチックチューブ５に、１２ターン程で長さ２５ｍｍのコイル状に巻きつけ軟質プラスチックチューブ巻き部分４を作る。
コイル状部分の指に巻き付ける側の最終の３ターン程を４５度程曲げる。
軟質プラスチックチューブ巻き部分４は、軟線１を軟質プラスチックチューブ５にコイル巻きしてから、接着剤で軟質プラスチックチューブ４と軟線１を固定しても良い。
軟線１の後部分の２００ｍｍは、指巻き部分６として残し半田吸取り線付実装補助具を作る。
【００２９】
使用する時は、幅０．９ｍｍの半田吸取り線１１を、軟質プラスチックチューブ５の４５度程曲がった部分から挿入して軟質プラスチックチューブ巻き部分４より１０ｍｍ出す。
幅０．９ｍｍの半田吸取り線１１を挿入し易い様に、軟質プラスチックチューブ巻き部分４は少し平らに全体を潰す。
最後に、軟質プラスチックチューブ巻き部分４から１０ｍｍでた半田吸取り線１１が引いた時だけ動くよう、再度一部分だけ潰す。
順次使用済み分はカットして、未使用部分が１０ｍｍ程先端より出るように、消耗した側から引いて出す。
【符号の説明】
【００３０】
1     軟線
2     楊枝巻き部分
3     刷毛先巻き部分
4     軟質プラスチックチューブ巻き部分
5     軟質プラスチックチューブ
6     指巻き部分
7     指先
8     楊枝
9     刷毛先
10  半田ワイヤー
11  半田吸取り線
【図１】
2014100723.tif 000003
【図２】
2014100723.tif 000004
【図３】
2014100723.tif 000005
【図４】
2014100723.tif 000006
【図５】
2014100723.tif 000007